(57)【特許請求の範囲】
【請求項１】
略倒Ｕ字形の把持部（２）に、円盤形状の防塵カバー（３）を備えた車輪（４）を回転自在に取り付けた防塵カバー付キャスターにおいて、前記防塵カバー（３）を車輪（４）の左右両側にブッシュ（７）を介在させて装着したものとすると共に、防塵カバー（３）の内側部に設けたギヤ（１０ａ）とブッシュ（７）の外側部に設けたギヤ（１０ｂ）とが噛み合うようにした噛み合いクラッチ方式の固着手段（９）により、防塵カバー（３）をブッシュ（７）に固着したことを特徴とする防塵カバー付キャスター。
【請求項２】
略倒Ｕ字形の把持部（２）に、円盤形状の防塵カバー（３）を備えた車輪（４）を回転自在に取り付けた防塵カバー付キャスターにおいて、前記防塵カバー（３）を車輪（４）の左右両側にブッシュ（７）を介在させて装着したものとすると共に、防塵カバー（３）の内側に設けた凹部、凸部、または凹凸部と、これらに対応するブッシュ（７）の外側に設けた凹部、凸部、または凹凸部を嵌め合わせるようにした固着手段（９）により、防塵カバー（３）をブッシュ（７）に固着したことを特徴とする防塵カバー付キャスター。
【発明の詳細な説明】
【０００１】
【発明の属する技術分野】
この発明は、搬送用機械類、買い物用カートその他の運搬車などに使用される防塵カバー付キャスターに関するものである。
【０００２】
【従来の技術】
従来、この種の防塵カバー付キャスターは、例えば図３に示したように、台座１１の下方に取り付けられた略倒Ｕ字形の把持部２に、円盤形状の防塵カバー３を備えた車輪４をボルト５およびナット６により回転自在に取り付けたものとしている。
【０００３】
前記防塵カバー３は、車輪４の左右両側にブッシュ７を介在させて装着し、中央に設けた穴３ａから車輪４の中央部の貫通穴４ａに固定されたボールベアリング（図示せず）の軸穴に、前記ボルト５の軸部５ａを貫通させ、このボルト５のねじ部５ｂにナット６を締め付けることにより、防塵カバー３をブッシュ７に押圧し両者を固着している。
【０００４】
【発明が解決しようとする課題】
しかしながら、上記従来の防塵カバー付キャスターでは、前記防塵カバー３とブッシュ７とは、両者間に働く摩擦力により固着されているだけであるので、何らかのはずみで車輪４の回転に伴って防塵カバー３も回転する場合があり、この防塵カバー３の回転によって、糸くずや髪の毛その他の塵類が車軸であるボルト５の軸部５ａに絡みつき、車輪４の回転不良が生ずる場合があるという課題を有していた。
【０００５】
そこで、この発明は、上記従来の防塵カバー付キャスターが有する課題を解決するものであり、車輪４の回転に伴って防塵カバー３が回転することのないようにし、糸くずや髪の毛その他の塵類が車軸に絡みつかず、車輪４の回転に支障を来すことがないようにした防塵カバー付キャスター提供することを目的としてなされたものである。
【０００６】
【課題を解決するための手段】
そのため、この発明は、略倒Ｕ字形の把持部２に、円盤形状の防塵カバー３を備えた車輪４を回転自在に取り付けた防塵カバー付キャスターにおいて、前記防塵カバー３を車輪４の左右両側にブッシュ７を介在させて装着したものとすると共に、防塵カバー３の内側部に設けたギヤ１０ａとブッシュ７の外側部に設けたギヤ１０ｂとが噛み合うようにした噛み合いクラッチ方式の固着手段９により、防塵カバー３をブッシュ７に固着したものとしている。
【０００７】
さらに、この発明は、略倒Ｕ字形の把持部２に、円盤形状の防塵カバー３を備えた車輪４を回転自在に取り付けた防塵カバー付キャスターにおいて、前記防塵カバー３を車輪４の左右両側にブッシュ７を介在させて装着したものとすると共に、防塵カバー３の内側に設けた凹部、凸部、または凹凸部と、これらに対応するブッシュ７の外側に設けた凹部、凸部、または凹凸部を嵌め合わせるようにした固着手段９により、防塵カバー３をブッシュ７に固着したものとしている。
【０００８】
【発明の実施の形態】
以下、この発明の防塵カバー付キャスターの実施の形態を、図面に基づいて詳細に説明する。
【０００９】
この発明の防塵カバー付キャスターは、図１、２に示したように、固定ボルト１の下方に回動自在に取り付けられた略倒Ｕ字形の把持部２に、円盤形状の防塵カバー３を備えた車輪４をボルト５およびナット６により回転自在に取り付けたものとしている。
【００１０】
前記防塵カバー３は、合成樹脂や金属により一体成形され、中央部に穴３ａが設けられており、車輪４の左右両側にそれぞれブッシュ７を介在させて装着したものとしている。
【００１１】
前記車輪４は、合成樹脂や金属により一体成形されるほか、合成樹脂と金属、合成樹脂とゴム等の組合せとして実施することができる。
【００１２】
前記ブッシュ７は、中央部に貫通穴７ａが設けられており、フランジ部７ｂを挟んで外側に、防塵カバー３の穴３ａに嵌め込まれる外側ブッシュ７ｃを有すると共に、フランジ部７ｂを挟んで内側に、車輪４の中央部の貫通穴４ａに固定されたボールベアリング８の軸穴８ａに嵌め込まれる内側ブッシュ７ｄを有したものとしている。
【００１３】
そして、この防塵カバー３の内側とブッシュ７のフランジ部７ｂの外側に固着手段９を設けたものとし、防塵カバー３の穴３ａから車輪４の貫通穴４ａに固定されたボールベアリング８の軸穴８ａに、前記ボルト５の軸部５ａを貫通させ、このボルト５のねじ部５ｂにナット６を締め付けることにより、防塵カバー３をブッシュ７に固着したものとしている。
【００１４】
前記固着手段９は、図に示したように、防塵カバー３の内側に設けたボス部３ｂに形成したギヤ１０ａとブッシュ７のフランジ部７ｂの外側に設けたギヤ１０ｂとが噛み合うようにした噛み合いクラッチ方式にすれば、防塵カバー３とブッシュ７の位置合わせが簡単であると共に固着が完全なものとなる。また、図には示していないが、固着手段９は、防塵カバー３の内側に設けた凹部、凸部、または凹凸部と、これらに対応するブッシュ７の外側に設けた凹部、凸部、または凹凸部を嵌め合わせるようにしたものとしてもよい。
【００１５】
なお、前記把持部２は、図に示したものでは、固定ボルト１の下方に回動自在に取り付けられているが、回動不能に取り付けられても、また適宜の台座（図示せず）等の下方に回動自在または回動不能に取り付けられてもよい。
【００１６】
したがって、このように構成された防塵カバー付キャスターは、車輪４を回転させても、前記防塵カバー３とブッシュ７とは固着手段９によって固着されているので、車輪４の回転に伴って防塵カバー３が回転するようなことはない。
【００１７】
【発明の効果】
この発明の防塵カバー付キャスターは、以上に述べたように構成されているので、車輪４の回転に伴って防塵カバー３が回転するようなことはないので、糸くずや髪の毛その他の塵類が車軸に絡みつかず、車輪４の回転に支障を来すことがないものとなった。
【図面の簡単な説明】
【図１】この発明の防塵カバー付キャスターの分解斜視図である。
【図２】この発明の防塵カバー付キャスターの断面図である。
【図３】従来の防塵カバー付キャスターの分解斜視図である。
【符号の説明】
２  把持部
３  防塵カバー
３ａ  穴
４  車輪
７  ブッシュ
９  固着手段
１０ａ  ギヤ
１０ｂ  ギヤ
【図１】
0003641813.tif 000002
【図２】
0003641813.tif 000003
【図３】
0003641813.tif 000004